(57)【要約】【課題】  キーシートを機器ケース内に正確に組み込むことができる電子機器を提供する。【解決手段】  上ケース８と下ケース９とからなる第１ケース１にキー入力部４を設けた電子機器において、キー入力部４は複数のキー釦部１６を有するキーシート１４を備え、このキーシート１４に複数のキー釦部１６の箇所を除いて多数のピンホール２２を設け、上ケース８の内面にキーシート１４のピンホール２２に挿入して嵌着する多数の嵌着突起２３を設けた。従って、上ケース８にキーシート１４を取り付けるときに、キーシート１４のピンホール２２に上ケース８の嵌着突起２３を挿入させて嵌着させることにより、上ケース８の内面にキーシート１４を確実に密着させて正確に位置決めした状態で取り付けることができる。このため、上ケース８と下ケース９とを接合するときに、キーシート１４が位置ずれを起こさず、正確に第１ケース１内に組み込むことができる。【選択図】        図５
2008159026.tif 000002
【特許請求の範囲】
【請求項１】
上ケースと下ケースとからなる機器ケースと、この機器ケースに設けられたキー入力部とを備えた電子機器において、
前記キー入力部は、前記上ケースの内面に配置されて前記上ケースの上面に露出する複数のキー釦部を有するキーシートを備え、
前記キーシートには、前記複数のキー釦部の箇所を除いて、多数のピンホールが設けられており、
前記上ケースの内面には、前記キーシートの前記多数のピンホールにそれぞれ挿入して嵌着する多数の嵌着突起が設けられていることを特徴とする電子機器。
【請求項２】
前記機器ケースにはスピーカ部が設けられており、このスピーカ部は、前記下ケースに設けられたスピーカ収納部と、このスピーカ収納部に収納されたスピーカと、前記上ケースに設けられて前記スピーカの上面における周縁部を押えるスピーカ押え部とを備え、
前記キーシートには、前記スピーカの上面における周縁部と前記スピーカ押え部との間に配置されるスピーカパッキン部が一体に形成されていることを特徴とする請求項１に記載の電子機器。
【請求項３】
前記スピーカパッキン部には、前記上ケースに設けられた前記スピーカ押え部に挟み付く挟持部が一体に形成されていることを特徴とする請求項２に記載の電子機器。
【請求項４】
前記キーシートの周縁部は、前記上ケースと前記下ケースとが接合する周囲の継ぎ目まで延出されていることを特徴とする請求項１〜３のいずれかに記載の電子機器。
【請求項５】
前記機器ケースの前記下ケースにはスイッチ部材が設けられており、前記キーシートには、前記スイッチ部材を覆うスイッチカバー部が一体に形成されていることを特徴とする請求項１〜４のいずれかに記載の電子機器。
【請求項６】
前記機器ケースの前記上ケースには、その上面部にストッパ孔が貫通して設けられており、前記キーシートには、前記ストッパ孔に挿入して前記上ケースの上面から前記キー釦部よりも高く突出するストッパ部が一体に形成されていることを特徴とする請求項１〜５のいずれかに記載の電子機器。
【請求項７】
前記機器ケースの前記下ケースには、その底面に脚挿入孔が貫通して設けられており、前記キーシートには、前記脚挿入孔に挿入して前記下ケースの底面から下側に突出する脚部が一体に形成されていることを特徴とする請求項１〜６のいずれかに記載の電子機器。
【請求項８】
前記機器ケースの前記下ケースにはタッチ入力部が設けられており、前記キーシートには、前記タッチ入力部が配置される入力挿入部が設けられており、前記上ケースには、入力開口部が前記キーシートの前記入力挿入部に対応して設けられていることを特徴とする請求項１〜７のいずれかに記載の電子機器。
【発明の詳細な説明】
【技術分野】
【０００１】
この発明は、電子辞書や電子手帳、電卓、携帯電話機、携帯情報端末機（ＰＤＡ：パーソナル・デジタル・アシスタント）などのキー入力部を有する電子機器に関する。
【背景技術】
【０００２】
例えば、携帯電話機などの電子機器においては、部品点数を削減するために、特許文献１に記載されているように、電子部品を収納する機器ケースを上ケースと下ケースとに分割して形成し、この分割された上ケースと下ケースとの各周縁部間にキーシート一体型のゴム製環状パッキンを挟み付けた構成のものがある。
【特許文献１】特開平１０−００４２７３号
【０００３】
すなわち、この種の電子機器は、上ケースと下ケースとの各周縁部間に対応する環状パッキンをキー入力部に対するキーシートに一体に形成することにより、キーシート一体型のゴム製環状パッキンを構成し、このキーシート一体型のゴム製環状パッキンの環状パッキン部分を上ケースの全周に沿って設けられた凹状溝に係合させ、この状態で上ケースと下ケースとを接合するときに、下ケースに設けられた押圧リブで環状パッキン部分を押圧することにより、部品点数を削減して上ケースと下ケースとの防水を図っている。
【発明の開示】
【発明が解決しようとする課題】
【０００４】
しかしながら、このような従来の電子機器では、キーシート一体型のゴム製環状パッキンを上ケースに取り付けるときに、上ケースの全周に沿って設けられた凹状溝にキーシート一体型のゴム製環状パッキンの環状パッキン部分を係合させるだけであるから、キーシートの中央部が弛みやすく上ケースの内面に密着しにくい。このため、この状態で下ケースに電子部品を配置して上ケースと下ケースとを接合すると、キーシートの中央部が位置ずれを起こしやすく、キーシートを機器ケース内に正確に組み込むことができず、品質の低下を招くという問題がある。
【０００５】
この発明が解決しようとする課題は、キーシートを機器ケース内に正確に組み込むことができる電子機器を提供することである。
【課題を解決するための手段】
【０００６】
この発明は、上記課題を解決するために、次のような構成要素を備えている。
請求項１に記載の発明は、上ケースと下ケースとからなる機器ケースと、この機器ケースに設けられたキー入力部とを備えた電子機器において、
前記キー入力部は、前記上ケースの内面に配置されて前記上ケースの上面に露出する複数のキー釦部を有するキーシートを備え、
前記キーシートには、前記複数のキー釦部の箇所を除いて、多数のピンホールが設けられており、
前記上ケースの内面には、前記キーシートの前記多数のピンホールにそれぞれ挿入して嵌着する多数の嵌着突起が設けられていることを特徴とする電子機器である。
【０００７】
請求項２に記載の発明は、前記機器ケースにスピーカ部が設けられており、このスピーカ部は、前記下ケースに設けられたスピーカ収納部と、このスピーカ収納部に収納されたスピーカと、前記上ケースに設けられて前記スピーカの上面における周縁部を押えるスピーカ押え部とを備え、
前記キーシートには、前記スピーカの上面における周縁部と前記スピーカ押え部との間に配置されるスピーカパッキン部が一体に形成されていることを特徴とする請求項１に記載の電子機器である。
【０００８】
請求項３に記載の発明は、前記スピーカパッキン部に、前記上ケースに設けられた前記スピーカ押え部に挟み付く挟持部が一体に形成されていることを特徴とする請求項２に記載の電子機器である。
【０００９】
請求項４に記載の発明は、前記キーシートの周縁部を、前記上ケースと前記下ケースとが接合する周囲の継ぎ目まで延出させたことを特徴とする請求項１〜３のいずれかに記載の電子機器。
【００１０】
請求項５に記載の発明は、前記機器ケースの前記下ケースにスイッチ部材が設けられており、前記キーシートには、前記スイッチ部材を覆うスイッチカバー部が一体に形成されていることを特徴とする請求項１〜４のいずれかに記載の電子機器である。
【００１１】
請求項６に記載の発明は、前記機器ケースの前記上ケースに、その上面部にストッパ孔が貫通して設けられており、前記キーシートには、前記ストッパ孔に挿入して前記上ケースの上面から前記キー釦部よりも高く突出するストッパ部が一体に形成されていることを特徴とする請求項１〜５のいずれかに記載の電子機器である。
【００１２】
請求項７に記載の発明は、前記機器ケースの前記下ケースに、その底面に脚挿入孔が貫通して設けられており、前記キーシートには、前記脚挿入孔に挿入して前記下ケースの下面から下側に突出する脚部が一体に形成されていることを特徴とする請求項１〜６のいずれかに記載の電子機器である。
【００１３】
請求項８に記載の発明は、前記機器ケースの前記下ケースにタッチ入力部が設けられており、前記キーシートには、前記タッチ入力部が配置される入力挿入部が設けられており、前記上ケースには、入力開口部が前記キーシートの前記入力挿入部に対応して設けられていることを特徴とする請求項１〜７のいずれかに記載の電子機器である。
【発明の効果】
【００１４】
この発明によれば、上ケースの内面にキーシートを取り付けるときに、キーシートに設けられた多数のピンホールに、上ケースの内面に設けられた多数の嵌着突起をそれぞれ挿入して嵌着させることにより、上ケースの内面にキーシートをその中央部が弛むことなく確実に密着させることができると共に、上ケースの内面にキーシートを正確に位置決めして取り付けることができる。このため、上ケースと下ケースとを接合するときに、キーシートが位置ずれを起こすことがないので、キーシートを機器ケース内に正確に組み込むことができ、これにより品質の高いものを提供することができる。
【発明を実施するための最良の形態】
【００１５】
（実施形態１）
以下、図１〜図５を参照して、この発明を電子辞書に適用した実施形態１について説明する。
図１はこの発明の電子辞書を開いて使用する状態を示した正面図、図２はそのＡ−Ａ矢視における要部の拡大断面図である。
この電子辞書は、図１に示すように、第１ケース１と第２ケース２とをヒンジ部３によって回動可能に連結した構成になっている。
【００１６】
すなわち、第１、第２ケース１、２は、それぞれ同じ大きさの平板状の薄い箱形状に形成されている。この場合、第１ケース１には、図１に示すように、キー入力部４、スピーカ部５、およびタッチ入力部６が第２ケース２に対面する第１ケース１の上面側に露呈して設けられている。また、第２ケース２には、液晶表示パネルやＥＬ（エレクトロルミネッセンス）表示パネルなどの平面型の表示パネルかなる表示部７が第１ケース１に対面する第２ケース２の上面に露呈して設けられている。そして、これら第１、第２ケース１、２は、互いに対応する端部がヒンジ部３によって回動可能に連結されている。
【００１７】
これにより、この電子辞書は、ヒンジ部３を中心に第１、第２ケース１、２を回動させて開くと、図１に示すように、第１ケース１の上面にキー入力部４、スピーカ部５、およびタッチ入力部部６が露呈すると共に、第２ケース２の上面に表示部７が露呈し、またヒンジ部３を中心に第１、第２ケース１、２を回動させて閉じると、第１ケース１のキー入力部４、スピーカ部５、およびタッチ入力部６が、第２ケース２の表示部７に対面した状態で、第１、第２ケース１、２が互いに重なり合うように構成されている。
【００１８】
ところで、第１ケース１は、図２に示すように、上ケース８と下ケース９とを備えている。上ケース８には、図１および図３に示すように、キー挿入孔１０がキー入力部４に対応して縦横に配列された状態で設けられている。また、この上ケース８の手前側における両側部には、スピーカ部５の放音部１１がそれぞれ設けられていると共に、この上ケース８の手前側における中間部には、パネル開口部１２がタッチ入力部６に対して設けられている。さらに、上ケース８におけるパネル開口部１２と放音部１１との間に位置する箇所には、キー入力部４の一部であるスイッチ釦１３が上下方向に変位可能に設けられている。
【００１９】
キー入力部４は、図１および図２に示すように、キーシート１４とスイッチ基板１５とを備えている。キーシート１４は、ゴムやエラストマなどの弾性を有するシートであり、図２および図５に示すように、上ケース８の内面（図２では下面）に取り付けられている。すなわち、このキーシート１４には、図４に示すように、複数のキー釦部１６が縦横に配列されて形成されていると共に、スピーカ部５のスピーカパッキン部１７が一体に形成されているほか、タッチ入力部６が配置するパネル挿入部１８が形成されている。なお、このキーシート１４の下面には、各キー釦部１６にそれぞれ連通して空気が流れる連通溝１９が設けられている。
【００２０】
この場合、複数のキー釦部１６は、文字キー、ファンクションキー、カーソルキーなどの辞書機能に必要な各種のキーの釦部であり、図２に示すように、キーシート１４に弾性変形可能なドーム形状に膨出形成されている。この複数のキー釦部１６の内面（図２では下面）には、カーボンなどの導電性を有する可動接点部２０がそれぞれ設けられている。これにより、複数のキー釦部１６は、図２に示すように、キーシート１４が上ケース８の内面に配置されたときに、上ケース８のキー挿入孔１０に内側から挿入されて上ケース８の上面から上方に突出し、この突出した部分が上方から押されると、弾性変形するように構成されている。
【００２１】
スイッチ基板１５は、図２に示すように、その上面に複数の固定接点部２１が複数のキー釦部１６の各可動接点部２０に対応して設けられ、この状態でキーシート１４の下面に配置されている。これにより、スイッチ基板１５は、図２に示すように、複数の固定接点部２１に複数のキー釦部１６の各可動接点部２０が接離可能に離間対向し、複数のキー釦部１６が上方から押されて弾性変形したときに、キー釦部１６の可動接点部２０が固定接点部２１に接触してキー信号を出力するように構成されている。
【００２２】
また、キーシート１４には、図４に示すように、複数のキー釦部１６の箇所を除いて、多数のピンホール２２が設けられている。すなわち、この多数のピンホール２２は、裁縫用の針が挿入する程度の小さい孔であり、図４に示すように、キーシート１４における複数のキー釦部１６間に位置する箇所、およびキーシート１４の周縁部に位置する箇所にそれぞれ設けられている。
【００２３】
また、上ケース８の内面（図２では下面）には、図３に示すように、キーシート１４の各ピンホール２２にそれぞれ挿入して嵌着する嵌着突起２３が多数形成されている。この多数の嵌着突起２３は、ピンホール２２よりも少し大きいピン状の突起であり、図３に示すように、上ケース８の内面における複数のキー挿入孔１０間に位置する箇所、およびキーシート１４の周縁部に対応する箇所にそれぞれキーシート１４の各ピンホール２２に対応して設けられている。
【００２４】
一方、スピーカ部５は、図２に示すように、下ケース９に設けられたスピーカ収納部２４と、このスピーカ収納部２４に収納されるスピーカ２５と、上ケース８にスピーカ２５と対応して設けられた放音部１１と、この放音部１１の内面つまり上ケース８の内面に設けてスピーカ２５の上面における周縁部を押えるスピーカ押え部２６と、スピーカ２５の上面における周縁部とスピーカ押え部２６の下端部との間に配置されるスピーカパッキン部１７とを備えた構成になっている。
【００２５】
この場合、スピーカ収納部２４は、図２に示すように、円筒形状に形成され、下ケース９の手前側における両側の内部に上ケース８の放音部１１と対応して設けられている。上ケース８の放音部１１は、図１および図２に示すように、上ケース８の手前側の両側部分に多数の小孔１１ａが設けられている。スピーカ押え部２６は、図２および図３に示すように、スピーカ収納部２４と同じ大きさのほぼ円筒形状のものであり、上ケース８の放音部１１の内面（図２では下面）に一体に設けられている。
【００２６】
スピーカパッキン部１７は、図２に示すように、上ケース８に設けられたスピーカ押え部２６内に挿入するリング形状に形成され、図４に示すように、キーシート１４の手前側における両側に位置した状態で、連結部２７によってキーシート１４に一体に形成されている。このスピーカパッキン部１７の外周部には、図２および図４に示すように、スピーカ押え部２６の下端縁に挟み付く挟持部２８が一体に設けられている。
【００２７】
これにより、スピーカパッキン部１７は、図２に示すように、上ケース８のスピーカ押え部２６内に挿入してスピーカパッキン部１７の下端面がスピーカ２５の上面における周縁部に対応すると共に、スピーカパッキン部１７の外周部に設けられた挟持部２８がスピーカ押え部２６の下端縁に挟み付き、この状態でスピーカパッキン部１７の下端面が上ケース８のスピーカ押え部２６によって下ケース９のスピーカ収納部２４に配置されたスピーカ２５の上面における周縁部を押え付けるように構成されている。
【００２８】
また、タッチ入力部６は、手書き入力部であり、表示パネル上に透明なタッチパネルを積層した構成で、全体がほぼ長方形の板状に形成されている。このタッチ入力部６は、下ケース９内に支持された状態で、キーシート１４のパネル挿入部１８内に配置されると共に、上ケース８のパネル開口部１２に対応して配置され、上ケース８のパネル開口部１２を通してタッチパネルの表面を入力ペンでタッチ操作すると、そのタッチ操作による文字などの手書き情報が下側の表示パネルに表示されると共に、その手書き情報が入力されるように構成されている。
【００２９】
さらに、スイッチ釦１３は、キー入力部４の一部である決定キーや選択キーなどの釦部であり、下ケース９内にそれぞれ設けられたスイッチ部材（図示せず）に対応して設けられている。すなわち、スイッチ釦１３は、ほぼ長方形状をなし、その一辺部（図５では下辺部）が上ケース８に上下方向に屈曲可能に連結された状態で、上ケース８に一体に形成されている。これにより、スイッチ釦１３は、上方から押されて下側に撓んだときに、下ケース９内に設けられたスイッチ部材を押圧してスイッチ動作させるように構成されている。
【００３０】
なお、上ケース８の手前側における両側部の放音部１１には、図１、図３、図４に示すように、第１、第２ケース１、２を重ね合わせたときに、第２ケース２の上面つまり第１ケース１に対面する対向面に当接するストッパ部３０が、上ケース８の上面からキー釦部１６よりも高く突出した状態で埋め込まれている。また、下ケース９内には、図２に示すように、回路基板３１が下ケース９に設けられた支持リブ３２によって支持された状態で設けられている。さらに、下ケース９の下面における四隅には、ゴム足３３がそれぞれ設けられている。
【００３１】
次に、この電子辞書の第１ケース１を組立てる場合について説明する。
まず、図５に示すように、第１ケース１の上ケース８の内面にキーシート１４を取り付ける。このときには、図２に示すように、キーシート１４に形成された複数のキー釦部１６を上ケース８の各キー挿入孔１０に挿入し、キーシート１４に一体に形成されたスピーカパッキン部１７を上ケース８の押え部２６に対応させて挿入すると共に、図５に示すように、キーシート１４のパネル挿入部１８を上ケース８のパネル開口部１２に対応させる。
【００３２】
この状態で、キーシート１４に設けられた多数のピンホール２２に、上ケース８の内面に設けられた多数の嵌着突起２３をそれぞれ挿入して嵌着させると共に、スピーカパッキン部１７の周囲に設けられた挟持部２８を、図２に示すように上ケース８のスピーカ押え部２６の下端縁に挟み付ける。これにより、図５に示すように、キーシート１４が弛むことなく上ケース８の内面に密着した状態で確実に取り付けられると共に、キーシート１４に一体に形成されたスピーカパッキン部１７も、上下にふら付くことがなく、上ケース８のスピーカ押え部２６に密着した状態で確実に取り付けられる。この状態では、上ケース８を上下反転させても、キーシート１４が上ケース８から脱落することがない。
【００３３】
この後、キーシート１４の下にスイッチ基板１５を配置し、このスイッチ基板１５の上面に設けられた複数の固定接点部２１を、複数のキー釦部１６の各可動接点部２０に離間させて対応させ、この状態で上ケース８を下ケース９に取り付ける。このときには、予め、下ケース９のスピーカ収納部２４にスピーカ２５を収納すると共に、下ケース９の所定箇所にタッチ入力部６、スイッチ部材（図示せず）、および回路基板３０を組み付ける。そして、この下ケース９に上ケース８を重ね合わせて接合する。すると、キーシート１４のスピーカパッキン部１７が下ケース９のスピーカ収納部２４に収納されたスピーカ２５の上面における周縁部を押え付ける。
【００３４】
これにより、図１および図５に示すように、第１ケース１にキー入力部４が上ケース８のキー挿入孔１０からキーシート１４の各キー釦部１６が露出して設けられ、また上ケース８の手前側の両側部にスピーカ部５が設けられると共に、上ケース８の手前側の中間部のパネル開口部１２にタッチ入力部６が対応して設けられ、さらに上ケース８におけるパネル開口部１２と放音部１１との間に位置する箇所に、スイッチ釦１３がスイッチ部材（図示せず）に対応して設けられる。この後、図１に示すように、第１ケース１と第２ケース２との互いに対応する端部同士をヒンジ部３によって回動可能に連結する。
【００３５】
このような電子辞書を使用する場合には、ヒンジ部３を中心に第１、第２ケース１、２を回動させて開くと、図１に示すように、第１ケース１の上面にキー入力部４、スピーカ部５、およびタッチ入力部６が露呈すると共に、第２ケース２の上面に表示部７が露呈する。これにより、表示部７に表示された情報を見ながら、キー入力部４を操作することができると共に、表示された情報をスピーカ部５で音声として放音することができるほか、タッチ入力部６を入力ペンでタッチ操作することにより、手書き情報を入力することができる。
【００３６】
また、この電子辞書では、ヒンジ部３を中心に第１、第２ケース１、２を回動させて閉じると、第１ケース１のキー入力部４、スピーカ部５、およびタッチ入力部６が、第２ケース２の表示部７に相対的に対面した状態で、第１、第２ケース１、２が互いに重なり合うので、機器全体がコンパクトになり、良好に携帯することができる。
【００３７】
このときには、第１ケース１の上ケース８における放音部１１に設けられたストッパ部２８が、上ケース８の上面からキーシート１４の複数のキー釦部１６よりも高く突出しているので、第１、第２ケース１、２が重なり合ったときに、第１ケース１のストッパ部２８に第２ケース２の上面つまり第１ケース１に対面する対向面における周縁部が当接し、これにより第２ケース２の上面が複数のキー釦部１６に接触してキー釦部１６を誤操作したり、第２ケース２の表示部７がキー釦部１６によって傷付いたりするのを防ぐことができる。
【００３８】
このように、この電子辞書によれば、第１ケース１の上ケース８の内面にキーシート１４を取り付けるときに、キーシート１４に設けられた多数のピンホール２２に、上ケース８の内面に設けられた多数の嵌着突起２３をそれぞれ挿入して嵌着することにより、上ケース８の内面にキーシート１４を弛むことなく確実に密着させることができると共に、上ケース８の内面にキーシート１４を正確に位置決めして取り付けることができる。このため、上ケース８と下ケース９とを重ね合わせて接合するときに、上ケース８を上下反転させても、キーシート１４が脱落したり、キーシート１４が位置ずれを起こしたりすることがないので、キーシート１４を第１ケース１内に正確に組み込むことができ、これにより品質の高いものを提供することができる。
【００３９】
この場合、第１ケース１に設けられたスピーカ部５は、第１ケース１の下ケース９に設けられたスピーカ収納部２４と、このスピーカ収納部２４に収納されたスピーカ２５と、第１ケース１の上ケース８に設けられてスピーカ２５の上面における周縁部を押えるスピーカ押え部２６とを備え、キーシート１４には、スピーカ２５の上面における周縁部とスピーカ押え部２６との間に配置されるスピーカパッキン部１７が一体に形成されていることにより、別部品としてのパッキンが不要となるので、部品点数を削減することができると共に、キーシート１４と同時にスピーカパッキン部１７を上ケース８に組み付けることができるので、組立て作業の簡素化をも図ることができる。
【００４０】
また、このスピーカパッキン部１７には、第１ケース１の上ケース８に設けられたスピーカ押え部２６の下端縁に挟み付く挟持部２８が一体に形成されているので、キーシート１４を上ケース８に取り付けるときに、スピーカパッキン部１７の挟持部２８を上ケース８に設けられたスピーカ押え部２６の下端縁に挟み付けることにより、スピーカパッキン部１７をスピーカ押え部２６の下端縁に正確に位置決めして取り付けることができ、これにより上ケース８を下ケース９に重ね合わせて接合するときに、スピーカパッキン部１７が位置ずれを起こしたり、上下にふら付いたりすることがないので、スピーカパッキン部１７によってスピーカ２５の上面における周縁部を確実に且つ良好に押え付けることができる。
【００４１】
さらに、この電子辞書によれば、第１ケース１にタッチ入力部６が設けられており、キーシート１４にはタッチ入力部６が配置されるパネル挿入部１８が設けられていることにより、タッチ入力部６を下ケース９に組み付け、この下ケース９に上ケース８を重ね合わせて接合するときに、タッチ入力部６をキーシート１４のパネル挿入部１８内に配置させることができる。これにより、タッチ入力部６を上ケース８のパネル開口部１２に位置ずれを起こさずに正確に且つ確実に対応させることができる。このため、パネル開口部１２を通してタッチ入力部６を入力ペンで良好にタッチ操作することができるので、良好に手書き情報を入力ができる。
【００４２】
（実施形態２）
次に、図６〜図８を参照して、この発明を電子辞書に適用した実施形態２について説明する。なお、図１〜図５に示された実施形態１と同一部分には同一符号を付して説明する。
この電子辞書は、キーシート１４にスイッチカバー部４０を一体に形成し、このスイッチカバー部４０で第１ケース１の下ケース９に設けられたスイッチ部材４１を覆うようにした構成であり、これ以外は実施形態１とほぼ同じ構成になっている。
【００４３】
この場合、スイッチ部材４１は、タクトスイッチであり、図６に示すように、スイッチ本体４１ａ内に操作子４１ｂが出没可能に設けられ、この操作子４１ｂの一端部がスイッチ本体４１ａの上方に突出し、この突出した操作子４１ｂの一端部が押されると、スイッチ本体４１ａ内のスイッチ部がスイッチ動作してスイッチ信号を出力するように構成されている。このスイッチ部材４１は、図６に示すように、下ケース９内に設けられた回路基板３１上に取り付けられ、上ケース８の手前側におけるスピーカ部５とタッチ入力部６との間に設けられたスイッチ釦１３の下側に対応して配置されている。
【００４４】
スイッチカバー部４０は、図６に示すように、スイッチ部材４１の底面を除く、外周面つまり側面および上面を覆う形状に形成され、図７および図８に示すように、上ケース８のスイッチ釦１３に対応した状態で、キーシート１４の手前側におけるスピーカ部５とタッチ入力部６との間に位置する箇所にキーシート１４と一体に形成されている。
【００４５】
この場合、スイッチカバー部４０には、図６および図７に示すように、スイッチ部材４１の操作子４１ｂが挿入して上方に突出する挿入孔４０ａが設けられていると共に、上ケース８のスイッチ釦１３の内面に設けられてスイッチ部材４１の操作子４１ｂを押圧するための押圧凸部４２が嵌着する枠状の嵌着凹部４３が設けられている。また、このスイッチカバー部４０の内面と外面とのうち、例えば図６に示す内面には、カーボンなどの導電性材料からなる静電気対策用のシールド皮膜４４が設けられている。
【００４６】
スイッチ釦１３は、実施形態１と同様、ほぼ長方形状をなし、その一辺部（図８では下辺部）が上ケース８に上下方向に屈曲可能に連結された状態で上ケース８に一体に形成されている。これにより、スイッチ釦１３は、上方から押されて下側に撓んだときに、下ケース９内に設けられたスイッチ部材４１の操作子４１ｂを押圧してスイッチ動作させるように構成されている。この場合、スイッチ釦１３の内面に設けられた押圧凸部４２には、図６に示すように、スイッチカバー部４０の挿入孔４０ａに挿入されて上方に突出したスイッチ部材４１の操作子４１ｂが嵌着する嵌着穴４５が設けられている。
【００４７】
このような電子辞書においても、実施形態１と同様の作用効果があるほか、第１ケース１の下ケース９にスイッチ部材４１を設け、キーシート１４にスイッチ部材４１を覆うスイッチカバー部４０を一体に形成したので、スイッチカバー部４０によってスイッチ部材４１の防水性を確保することができると共に、スイッチカバー部４０の内面に設けられたシールド皮膜４４によってスイッチ部材４１を静電気から保護することができるほか、スイッチ部材４１を覆うカバー部材を別部品として形成する必要がないため、部品点数を削減することができると共に、キーシート１４と同時にスイッチカバー部４０を上ケース８に組み付けることができるので、組立て作業の簡素化をも図ることができる。
【００４８】
この場合、上ケース８のスイッチ釦１３の内面には、スイッチ部材４１の操作子４１ｂを押圧操作する押圧凸部４２が設けられており、スイッチカバー部４０には、上ケース８のスイッチ釦１３の内面に設けられた押圧凸部４２が嵌着する枠状の嵌着凹部４３が設けられているので、キーシート１４を上ケース８の内面に取り付けるとき、スイッチカバー部４０の嵌着凹部４３にスイッチ釦１３の押圧凸部４２を嵌着させることができる。
【００４９】
これにより、スイッチカバー部４０を上ケース８に一体に形成されたスイッチ釦１３の内面に正確に位置決めして取り付けることができるので、上ケース８を下ケース９に重ね合わせて接合するときに、スイッチカバー部４０が位置ずれを起こしたり、上下にふら付いたりすることがなく、スイッチカバー部４０によってスイッチ部材４１を確実に且つ良好に覆うことができる。
【００５０】
（実施形態３）
次に、図９〜図１３を参照して、この発明を電子辞書に適用した実施形態３について説明する。この場合にも、図１〜図５に示された実施形態１と同一部分に同一符号を付して説明する。
この電子辞書は、キーシート１４にストッパ部５０を一体に形成し、このストッパ部５０を第１ケース１の上ケース８に設けられたストッパ孔５１に嵌め込んで上ケース８の上方に突出させた構成であり、これ以外は実施形態１とほぼ同じ構成なっている。
【００５１】
この場合、上ケース８の手前側における両側に設けられたスピーカ部５の放音部１１における下辺側には、図９〜図１１に示すように、それぞれストッパ孔５１が上ケース８のスピーカ押え部２６を避けて上下に貫通して設けられている。ストッパ部５０は、図１２および図１３に示すように、キーシート１４のスピーカパッキン部１７の外周部に一体に形成される。すなわち、このストッパ部５０は、スピーカパッキン部１７の外周部に一体に形成された連結板部５０ａと、この連結板部５０ａに一体に形成されて上ケース８の放音部１１のストッパ孔５１に挿入するストッパ突起部５０ｂとを備えている。
【００５２】
このストッパ部５０は、上ケース８の内面にキーシート１４を取り付けるときに、連結板部５０ａが上ケース８の内面つまり放音部１１の下面に対応すると共に、ストッパ突起部５０ｂが放音部１１のストッパ孔５１に挿入して上ケース８の上面つまり放音部１１の上面から上方に突出し、この突出した上端部分が上ケース８の上面に突出したキーシート１４の各キー釦部１６よりも高く突出するように構成されている。なお、下ケース９には、図１１に示すように、上ケース８が接合されたときに、ストッパ部５０の下面つまり連結板部５０ａの下面に当接してストッパ突起部５０ｂが上ケース８内に没入するのを阻止する支持リブ５２が設けられている。
【００５３】
このような電子辞書においても、実施形態１と同様の作用効果があるほか、第１ケース１の上ケース８における放音部１１にストッパ孔５１を設け、キーシート１４に一体に形成されたスピーカパッキン部１７の外周部にストッパ部５０を一体に形成したので、ストッパ部５０を実施形態１のストッパ部３０のように別部品として形成する必要がないため、部品点数を削減することができると共に、キーシート１４およびスイッチパッキン部１７と同時にストッパ部５０を上ケース８に組み付けることができるので、組立て作業の簡素化をも図ることができる。
【００５４】
この場合、ストッパ部５０は、キーシート１４のスピーカパッキン部１７に連結板部５０ａが一体に形成され、この連結板部５０ａに上ケース８の放音部１１のストッパ孔５１に挿入するストッパ突起部５０ｂを一体に形成し、このストッパ突起部５０ｂが放音部１１の上面から上方に突出し、この突出した上端部分がキーシート１４の各キー釦部１６よりも高く突出するように形成されているので、第１、第２ケース１、２がヒンジ部３を中心に回動して重なり合ったときに、第１ケース１のストッパ突起部５０ｂに第２ケース２の上面つまり第１ケース１に対面する対向面における周縁部が当接し、これにより第２ケース２の上面が複数のキー釦部１６に接触してキー釦部１６を誤操作したり、第２ケース２の表示部７がキー釦部１６によって傷付いたりするのを確実に防ぐことができる。
【００５５】
なお、上記実施形態３では、キーシート１４に一体に形成されたスピーカパッキン部１７の外周部にストッパ部５０を一体に形成した場合について述べたが、必ずしもスピーカパッキン部１７の外周部に設ける必要はなく、キーシート１４の手前側における両端部にストッパ部５０を一体に形成しても良い。
【００５６】
（実施形態４）
次に、図１４〜図１６を参照して、この発明を電子辞書に適用した実施形態４について説明する。この場合には、図９〜図１３に示された実施形態３と同一部分に同一符号を付して説明する。
この電子辞書は、第１ケース１の下ケース９の下面に配置されるゴム足５５をキーシート１４に一体に形成した構成であり、これ以外は実施形態３とほぼ同じ構成になっている。
【００５７】
この場合、下ケース９における手前側の両側部には、図１４および図１５に示すように、細長い楕円形状の脚挿入孔５６が、それぞれキーシート１４のストッパ部５０に対応して設けられている。ゴム足５５は、図１５および図１６に示すように、キーシート１４のスピーカパッキン部１７の外周部に一体に形成されたストッパ部５０の下面（図１６では上面）に一体に形成されている。すなわち、このゴム足５５は、下ケース９の脚挿入孔５６に挿入するほぼ楕円柱状に形成され、その下端部（図１６では上端部）が下ケース９の下面から下方に突出して卓上などの載置面に当接することにより、下ケース９が載置面上で滑るのを防ぐように構成されている。
【００５８】
このような電子辞書においても、実施形態３と同様の作用効果があるほか、第１ケース１の下ケース９における手前側の両側部に脚挿入孔５６をストッパ部５０に対応させて設け、キーシート１４のスピーカパッキン部１７の外周部に一体に形成されたストッパ部５０の下面にゴム足５５を一体に形成したので、ゴム足５５を実施形態１のゴム足３３のように別部品として形成する必要がないため、部品点数を削減することができると共に、キーシート１４、スイッチパッキン部１７、およびストッパ部５０と同時にゴム足５５を上ケース８に組み付けることができるので、組立て作業の簡素化をも図ることができる。
【００５９】
すなわち、上ケース８を下ケース９に重ね合わせて接合するときに、ゴム足５５を下ケース９の脚挿入孔５６に正確に且つ確実に挿入することができると共に、ゴム足５５を下ケース９の下面から突出させることができる。この場合には、ストッパ部５０によってゴム足５５が下ケース９に没入するのを確実に防ぐことができ、これによりゴム足５５を下ケース９の脚挿入孔５６内に確実に固定することができると共に、ゴム足５５によって下ケース９が載置面上で滑らないように良好に保持することができる。
【００６０】
なお、上記実施形態４では、キーシート１４のスピーカパッキン部１７の外周部に一体に形成されたストッパ部５０の下面にゴム足５５を一体に形成した場合について述べたが、必ずしもストッパ部５０の下面に設ける必要はなく、キーシート１４の手前側における両端部にゴム足５５を一体に形成しても良い。
【００６１】
（実施形態５）
次に、図１７〜図２１を参照して、この発明を電子辞書に適用した実施形態５について説明する。この場合には、図１〜図５に示された実施形態１と同一部分に同一符号を付して説明する。
この電子辞書は、キーシート１４の周縁部６０を上ケース８と下ケース９とが接合する周囲の継ぎ目まで延出させた構成であり、これ以外は実施形態１とほぼ同じ構成になっている。
【００６２】
すなわち、キーシート１４は、実施形態１と同様、ゴムやエラストマなどの弾性を有するシートであり、図１８に示すように、複数のキー釦部１６が縦横に配列されて形成されていると共に、スピーカ部５のスピーカパッキン部１７が一体に形成されている。この場合にも、キーシート１４は、複数のキー釦部１６の箇所を除いて、多数のピンホール２２が設けられている。この多数のピンホール２２は、裁縫用の針が挿入する程度の小さい孔であり、実施形態１と同様、上ケース８の内面に設けられた嵌着突起２３が挿入して嵌着することにより、キーシート１４を上ケース８の内面に取り付けるように構成されている。
【００６３】
また、このキーシート１４は、図１８〜図２０に示すように、その周縁部６０を上ケース８と下ケース９とが接合する周囲の継ぎ目まで延出した構成になっている。この場合、上ケース８の周囲における内面（図１９では下面）には、図１９および図２０に示すように、下ケース９の内側における側面に沿って下側に突出する押え突起６１がほぼ全周に亘って設けられている。また、下ケース９の周囲における内面（図１９では側面および上面）には、押えリブ６２が所定間隔で上ケース８の押え突起６１の下側に対応して設けられている。
【００６４】
これにより、キーシート１４の周縁部６０は、図１８〜図２０に示すように、上ケース８の内面に密着すると共に、上ケース８の周囲における押え突起６１に対応する段差形状に形成された上、下ケース９の内側の側面に当接する位置まで延び、この延びた部分が上ケース８の押え突起６１と下ケース９の押えリブ６２との間に挟み付けられるように構成されている。この場合、キーシート１４には、図１８に示すように、ほぼ四角形状の開口部６３がスピーカ部５に対応して設けられており、この開口部６３内には、スピーカパッキン部１７が実施形態１とほぼ同様に設けられている。
【００６５】
スピーカ部５は、実施形態１と同様、下ケース９に設けられたスピーカ収納部２４と、このスピーカ収納部２４に収納されるスピーカ２５と、上ケース８にスピーカ２５と対応して設けられた放音部１１と、この放音部１１の内面つまり上ケース８の内面に設けてスピーカ２５の上面における周縁部を押えるスピーカ押え部２６と、スピーカ２５の上面における周縁部とスピーカ押え部２６の下端部との間に配置されるスピーカパッキン部１７とを備えた構成になっている。
【００６６】
この場合、スピーカ収納部２４は、図２１に示すように、ほぼ円筒形成されているが、このスピーカ収納部２４の所定箇所、例えばスピーカ２５が配置される部分の下部における周囲の複数箇所には、開口部６４がそれぞれ設けられている。これにより、スピーカ２５の下側に位置する音響空間は、スピーカ収納部２４内の領域に位置する内部空間と、スピーカ収納部２４の外周における下ケース９とキーシート１４との間に位置する外部空間とが、複数の開口部６４によって連続することにより、広い空間に形成されている。
【００６７】
また、スピーカパッキン部１７は、図２０に示すように、上ケース８に設けられたスピーカ押え部２６内に挿入するリング形状に形成され、図１８に示すように、キーシート１４の手前側における両側に位置した状態で、キーシート１４の開口部６３の縁部に一体に形成されている。このスピーカパッキン部１７の外周部における所定箇所には、図１８および図２０に示すように、スピーカ押え部２６の下端縁に挟み付く挟持部２８が、キーシート１４の周縁部６０に連結された状態で、一体に設けられている。
【００６８】
これにより、スピーカパッキン部１７は、図２０に示すように、上ケース８のスピーカ押え部２６内に挿入してスピーカパッキン部１７の下端面がスピーカ２５の上面における周縁部に対応すると共に、スピーカパッキン部１７の外周部に設けられた挟持部２８がスピーカ押え部２６の下端縁に挟み付き、この状態でスピーカパッキン部１７の下端面が上ケース８のスピーカ押え部２６によって下ケース９のスピーカ収納部２４に配置されたスピーカ２５の上面における周縁部を押え付けるように構成されている。従って、スピーカ２５の上側に位置する音響空間は、スピーカパッキン部１７と上ケース８の放音部１１とで囲われた上部空間によって構成されている。
【００６９】
なお、キーシート１４の下面には、図１９に示すように、スイッチ基板１５が実施形態１と同様に設けられており、このスイッチ基板１５の下側には、回路基板３１が配置されている。また、スピーカ部５に対応する箇所の下ケース９の下面には、図２０に示すように、ゴム足３３が実施形態１と同様に設けられている。
【００７０】
このような電子辞書によれば、実施形態１と同様の作用効果があるほか、特にキーシート１４の周縁部６０を第１ケース１における上ケース８と下ケース９とが接合する周囲の継ぎ目まで延出したことにより、上ケース８と下ケース９との防水性を確保することができるほか、スピーカ部５における下側の空間、つまりスピーカ部５における下ケース９側の空間の気密性をも確保することができ、これにより第１ケース１におけるスピーカ部５の音漏れを防止することができるので、音量を確保することができる。
【００７１】
すなわち、キーシート１４の周縁部６０は、第１ケース１における上ケース８と下ケース９とが接合する周囲の継ぎ目まで延出されており、この延出された周縁部６０は、上ケース８の周囲における押え突起６１に対応する段差形状に形成されて下ケース９の内側の側面に当接する位置まで延び、この延びた部分が上ケース８の押え突起６１と下ケース９の押えリブ６２とに挟み付けられるので、スピーカ２５の音が上ケース８と下ケース９との間から外部に漏れるのを確実に防ぐことができ、これにより第１ケース１の防水性および気密性を十分に確保することができる。
【００７２】
この場合、スピーカ部５の全体の音響空間は、スピーカ２５の上側に位置する音響空間と、スピーカ２５の下側に位置する音響空間とからなり、このうち、下側に位置する音響空間は、スピーカ収納部２４内の領域に位置する内部空間と、スピーカ収納部２４の外周における下ケース９とキーシート１４との間に位置する外部空間とが、複数の開口部６４によって連続する空間であることにより、スピーカ部５の全体の音響空間を実施形態１よりも十分に広くすることができ、より一層、音量を確保することができる。
【００７３】
このように、スピーカ部５の全体の音響空間を広くしても、キーシート１４の周縁部６０が第１ケース１における上ケース８と下ケース９とが接合する周囲の継ぎ目まで延出され、この延びた部分が上ケース８の押え突起６１と下ケース９の押えリブ６２との間に挟み付けられて、スピーカ２５の音が第１ケース１の外部に漏れるのを防いでいることにより、スピーカ部５の音量を十分に高めることができる。
【００７４】
なお、上記実施形態５では、第１ケース１の手前側における両側部にスピーカ部５を設けた場合について述べたが、これに限らず、第１ケース１の手前側における片側のみにスピーカ部５を設けた構成でも良い。このような構成では、スピーカ部５が１つであるため、スピーカ部５における下ケース９側の音響空間の気密性が不充分で音漏れが発生すると、音量を十分に確保することができないが、実施形態５のように、キーシート１４の周縁部６０を第１ケース１における上ケース８と下ケース９とが接合する周囲の継ぎ目まで延出し、この延びた部分を上ケース８の押え突起６１と下ケース９の押えリブ６２とに挟み付けて音漏れを防ぐことにより、スピーカ部５が１つであっても、十分な音量を確保することができる。
【００７５】
また、上記実施形態１〜５では、第１、第２ケース１、２をヒンジ部３で回動可能に連結した折り畳み式の電子辞書に適用した場合について述べたが、必ずしも折り畳み式のものである必要はなく、例えば機器ケースを上ケースと下ケースとで構成し、この機器ケースの上ケースにキー入力部４、スピーカ部５、タッチ入力部６、および表示部７の全てを平面的に配置した構成のものでも良い。
【００７６】
さらに、上記実施形態１〜５では、電子辞書に適用した場合について述べたが、必ずしも電子辞書である必要はなく、電子手帳や電卓、携帯電話機、携帯情報端末機（ＰＤＡ：パーソナル・デジタル・アシスタント）などのキー入力部を有する各種の電子機器に広く適用することができる。
【図面の簡単な説明】
【００７７】
【図１】この発明を適用した電子辞書の実施形態１において第１、第２ケースを開いて使用する状態を示した正面図である。
【図２】図１のＡ−Ａ矢視における要部を示した拡大断面図である。
【図３】図１の第１ケースにおける上ケースの内面を示した拡大図である。
【図４】図２のキーシートを下面側から見た拡大図である。
【図５】図４のキーシートを上ケースの内面に取り付けた状態を示した拡大図である。
【図６】この発明を適用した電子辞書の実施形態２における要部を示した拡大断面図である。
【図７】図６のキーシートを下面側から見た拡大図である。
【図８】図７のキーシートを上ケースの内面に取り付けた状態を示した拡大図である。
【図９】この発明を適用した電子辞書の実施形態３において第１ケースを示した拡大斜視図である。
【図１０】図９の第１ケースにおける放音部のＡ部を示した拡大斜視図である。
【図１１】図１０のＢ−Ｂ矢視における要部を示した拡大断面図である。
【図１２】図１１のキーシートを上面側から見た拡大斜視図である。
【図１３】図１２のキーシートにおけるストッパ部のＢ部を示した拡大斜視図である。
【図１４】この発明を適用した電子辞書の実施形態４において第１ケースの下面を示した拡大底面図である。
【図１５】図１４のＣ−Ｃ矢視における要部を示した拡大断面図である。
【図１６】図１５のゴム足が一体に形成されたキーシートを下面側から見た拡大斜視図である。
【図１７】この発明を適用した電子辞書の実施形態５において第１ケースの要部を示した拡大平面図である。
【図１８】図１７のキーシートを上面側から見た要部の拡大平面図である。
【図１９】図１７のＤ−Ｄ矢視における要部を示した拡大断面図である。
【図２０】図１７のＥ−Ｅ矢視における要部を示した拡大断面図である。
【図２１】図２０のスピーカ収納部を示した拡大斜視図である。
【符号の説明】
【００７８】
１、２  第１、第２ケース
３  ヒンジ部
４  キー入力部
５  スピーカ部
６  タッチ入力部
７  表示部
８  上ケース
９  下ケース
１０  キー挿入孔
１１  放音部
１２  パネル開口部
１３  スイッチ釦
１４  キーシート
１５  スイッチ基板
１６  キー釦部
１７  スピーカパッキン部
１８  パネル挿入部
２２  ピンホール
２３  嵌着突起
２４  スピーカ収納部
２５  スピーカ
２６  スピーカ押え部
２８  挟持部
４０  スイッチカバー部
４１  スイッチ部材
５０  ストッパ部
５１  ストッパ孔
５５  ゴム足
５６  脚挿入孔
６０  キーシートの周縁部
６１  上ケースの押え突起
６２  下ケースの押えリブ
【図１】
2008159026.tif 000003
【図２】
2008159026.tif 000004
【図３】
2008159026.tif 000005
【図４】
2008159026.tif 000006
【図５】
2008159026.tif 000007
【図６】
2008159026.tif 000008
【図７】
2008159026.tif 000009
【図８】
2008159026.tif 000010
【図９】
2008159026.tif 000011
【図１０】
2008159026.tif 000012
【図１１】
2008159026.tif 000013
【図１２】
2008159026.tif 000014
【図１３】
2008159026.tif 000015
【図１４】
2008159026.tif 000016
【図１５】
2008159026.tif 000017
【図１６】
2008159026.tif 000018
【図１７】
2008159026.tif 000019
【図１８】
2008159026.tif 000020
【図１９】
2008159026.tif 000021
【図２０】
2008159026.tif 000022
【図２１】
2008159026.tif 000023